(57)【要約】【課題】尿瓶形の簡易便器では小水が外部にこぼれてしまうおそれがある。そこで本発明は簡単に使用でき、しかも小水がこぼれるおそれのない簡易便器を提供する。【解決手段】第１の簡易便器１を、収容部２と、この収容部2の先端から一体的に延びるホース部５と、このホース部５の先端に取り付けた収納袋７と、から構成する。収容部２を、開口部９を有する基部１１と、この基部１１の下側の陰嚢室１３と、基部１１に形成した陰茎室１５と、から構成する。陰茎室１５を短いパイプ状に形成する。【選択図】図１
2019208724.tif 000002
【特許請求の範囲】
【請求項１】
簡易便器であって,男性性器の周囲に当接させる開口部を有する収容部と、この収容部から一体的に延びて排尿を排出するためのホース部を備え、前記収容部には、前記開口部から入れられた陰嚢を収容するための陰嚢室と、この陰嚢室に隣接し、前記開口部から入れられた陰茎を挿入するための陰茎室とを有し、前記ホース部先端には、収納袋が取り付けられていることを特徴とする簡易便器。                                        
【請求項２】
前記ホース部先端には、収納袋が取り外し可能として取り付けられていることを特徴とする請求項１記載の簡易便器。
【請求項３】
前期収納袋は脚部に取り付けることができるように構成されていることを特徴とする請求項１、又は２記載の簡易便器。
【発明の詳細な説明】
【技術分野】
【０００１】
本発明は、例えば車中で使用することができる簡易便器に関する。
【背景技術】
【０００２】
渋滞時の自家用車の中で尿意を催した場合に使用する簡易便器として、例えば特許文献１に記載されたものが知られているが、この簡易便器は尿瓶形状そのものである。      
【先行技術文献】
【特許文献】
【０００３】
【特許文献１】特許第５９４８４７７号公報
【発明の概要】
【発明が解決しようとする課題】
【０００４】
尿瓶形の簡易便器では小水が外部にこぼれてしまうおそれがある。そこで本発明は簡単に使用でき、しかも小水がこぼれるおそれのない簡易便器を提供する。
【課題を解決するための手段】
【０００５】
この目的を達成するための本発明の簡易便器は、自動車内、又は電車内、並びに洋式便器での小水の跳ね等を避ける目的で使用するための簡易便器であって,男性性器の周囲に当接させる開口部を有する収容部と、この収容部から一体的に延びて排尿を排出するためのホース部を備え、前記収容部は、前記開口部から入れられた陰嚢を収容するための陰嚢室と、この陰嚢室に隣接し、前記開口部から入れられた陰茎を挿入するための陰茎室とを有し、前記ホース部は前記陰茎室の先端から例えば一体的に延びているものである。
【０００６】
ホース部の先端には収納袋が取り外し可能に取り付けられていることが好ましい。
【０００７】
前記陰嚢室は、前記陰茎室から下側に突出するように形成することができる。              
【０００８】
また、脚部に取り付けるための収納部をさらに有し、ホース部の先端を収納部内に接続できるように構成することができる。
【０００９】
収納部にホース部先端を接続する接続部を設けることが好ましい。
【発明の効果】
【００１０】
本発明の簡易便器は例えば座ったままで、あるいは立ったままで簡易に使用でき、かつ、使用中に小水がもれてしまうことのないものである。
【図面の簡単な説明】
【００１１】
【図１】本発明に係る第１の簡易便器の正面図である。
【図２】第１の簡易便器の平面図である。
【図３】第１の簡易便器の使用状態を示す図である。
【図４】本発明に係る第２の簡易便器の正面図である。
【図５】第２の簡易便器の使用状態を示す図である。
【発明を実施するための形態】
【００１２】
以下、図面を参照して、本発明の簡易便器を説明する。
【００１３】
まず、図１及び図２を用いて本発明の第１の簡易便器の構成を説明する。
【００１４】
第１の簡易便器１は、収容部２と、この収容部２の先端から一体的に延びる陰茎室１５と、この先につながるホース部５の先端に取り付けられたビニール、シリコン又はポリエチレン製の収納袋７とを備えている。                                        
【００１５】
収容部２はシリコン製であり開口部９を有する基部１１と、この基部１１の下側に設けられた陰嚢室１３と、基部１１に設けられた短いパイプ状の陰茎室１５とから一体的に形成されていて、陰嚢室１３は球状に形成され、短い筒状の通過部１７を介して基部１１に接続して設けられている。
【００１６】
陰茎室１５の先端からは、ホース基部１９が一体的に延びるように設けられ、
このホース基部１９の先端部にステンレスバンド２１によってホース本体部  ２３が接続されている。収納袋７は、このホース本体部２３にステンレス接続具２５を介して取り外し可能に接続されている。
【００１７】
次に、図３を参照して本発明の第１の簡易便器１の使用状態を説明する。
【００１８】
基部１１の開口部９を陰部の周囲に押し当て陰嚢２７を陰嚢室１３に収納し陰茎２９を陰茎室１５に挿入する。陰茎２９から排出された小水は陰茎室１５からホース本体部２３を通り収納袋７内に留められる。  
【００１９】
次に、図４を参照して本発明の第２の簡易便器の構成を説明する。
【００２０】
第２の簡易便器３０は、収容部３５と、この収容部３５の先端から一体的に延びるホース部３７と、このホース部３７の先端部を受け入れるビニール、シリコン又はポリエチレン形の収納袋３９とを備えている。
【００２１】
収容部３５はシリコン製であり開口部４１を有する基部４３と、この基部  ４３内に形成された陰茎室４２とから一体的に形成されていて、陰茎室４２の先端からホース部３７が延びている。基部４３の一部が陰嚢室を形成する。  ホース部３７の先端部は、ふくらはぎに巻かれた収納袋３９に差し込まれ又は接続されている。収納袋３９の上端側と下端側がベルト４７でふくらはぎに固定されている。ホース部３７の先端部は収納袋３９内の上側に位置している。収容袋３９の上端の角部には、小水が通過しないように形成された例えば布地による空気抜き４４が設けられている。尚、４５は面状ファスナである。
【００２２】
第2の簡易便器３０は、収容部３５の開口部４１を取り付けベルト４９で陰部周辺に押し当てて使用する。                                         
【符号の説明】
【００２３】
１          第1の簡易便器                                                      
２、  ３５    収容部  
５、  ３７    ホース部
７、  ３９    収納袋
９、  ４１    開口部
１３、４３    陰嚢室
１５、４２    陰茎室                                                  
３０          第２の簡易便器                                                                                                                      
【図１】
2019208724.tif 000003
【図２】
2019208724.tif 000004
【図３】
2019208724.tif 000005
【図４】
2019208724.tif 000006
【図５】
2019208724.tif 000007
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
簡易便器であって、男性性器の周囲に当接させる開口部を有し、陰茎及び陰嚢を収めるための収容部と、この収容部から一体的に延びて排尿を排出するためのホース部を備え、前記収容部の内部には、前記開口部から入れられた陰嚢を収容するための陰嚢室と、この陰嚢室に隣接し、前記開口部から入れられた陰茎を挿入するための陰茎室とを有し、前記ホース部先端には、収納袋が取り付けられていることを特徴とする簡易便器。
【請求項２】
前記ホース部先端には、収納袋が取り外し可能として取り付けられていることを特徴とする請求項１記載の簡易便器。
【請求項３】
前記収納袋は脚部に取り付け、小水が通過しないように形成された空気抜きがあるように構成されていることを特徴とする請求項１又は２記載の簡易便器。